(57)【要約】      （修正有）【課題】通常は外から中身を目視することが出来ないが、包装を開くことなく、簡単な操作で中身が何であるか目視することが可能となるギフトボックスを提供する。【解決手段】駆動部２とケース部３を有するギフトボックス１であって、ケース部３は、電界のオンオフによって透明と不透明とが切り替わる窓部４を有し、駆動部２は、窓部の電界をオンオフするための電源とスイッチ１２とを有することを特徴とするギフトボックスである。【選択図】図１
2018150060.tif 000002
【特許請求の範囲】
【請求項１】
駆動部とケース部を有するギフトボックスであって、ケース部は、電界のオンオフによって透明と不透明とが切り替わる窓部を有し、駆動部は、窓部の電界をオンオフするための電源とスイッチとを有することを特徴とするギフトボックス。
【請求項２】
前記窓部には、電界オフ時に不透明となり、電界オン時に透明となるノーマルモードの調光フィルムが用いられていることを特徴とする請求項１に記載のギフトボックス。
【請求項３】
前記窓部には、電界オフ時に透明となり、電界オン時に不透明となるリバースモードの調光フィルムが用いられていることを特徴とする請求項１に記載のギフトボックス。
【請求項４】
ケース部のすべての面が電界のオンオフによって透明と不透明とが切り替わる窓部であることを特徴とする請求項１〜３のいずれか１項に記載のギフトボックス。
【請求項５】
ケース部は、四角柱形状であることを特徴とする請求項１〜４のいずれか１項に記載のギフトボックス。
【請求項６】
ケース部は、円柱形状であることを特徴とする請求項１〜４のいずれか１項に記載のギフトボックス。
【発明の詳細な説明】
【技術分野】
【０００１】
本発明は、品物を収納して贈り物などとして用いるギフトボックスに関し、特に簡単な操作によって内容物が見えたり見えなくなったりするギフトボックスに関する。
【背景技術】
【０００２】
従来より、物品を贈り物などとして贈呈する際に、物品を化粧箱や化粧ケースに収納して贈呈することが一般的に行われている。通常、品物は不透明な箱に収められ、さらに包み紙で包まれていることが多い。
【０００３】
このような通常の贈り物の形態の場合、包装を開くまで中身が何であるか分からないため、包装を開いた瞬間に、中身が何であるかを認識して、意外性や、驚きや、感動を味わうことができるものである。
しかしながら、贈り物を貰った人が、その場で中身を確認することが求められるような場面においては、このような従来の包装形態は、紐を解いたり、包み紙を取り除いたり、箱を開けたりといった一連の手順が少なからず煩雑に感じられる場合があるという問題があった。
【０００４】
特許文献１に記載された携帯ストラップは、家族、友人、知人などに携帯電話用ストラップをプレゼントするために、複数個の携帯電話用ストラップを透明な円筒形ケースに封入したものである。
【０００５】
特許文献１に記載された携帯ストラップは、透明なケースに封入されているので、直接外から中身を目視することができる反面、通常の箱のように、貰った人が箱を開けて初めて中身が分かり、感動を覚えるという効果（サプライズ効果）を期待することはできなかった。
【先行技術文献】
【特許文献】
【０００６】
【特許文献１】実用新案登録第３１２０７２４号公報
【発明の概要】
【発明が解決しようとする課題】
【０００７】
本発明の解決しようとする課題は、通常は外から中身を目視することが出来ないが、包装を開くことなく、簡単な操作で中身が何であるか目視することが可能となるギフトボックスを提案するものである。
【課題を解決するための手段】
【０００８】
上記の課題を解決するための手段として、請求項１に記載の発明は、駆動部とケース部を有するギフトボックスであって、ケース部は、電界のオンオフによって透明と不透明とが切り替わる窓部を有し、駆動部は、窓部の電界をオンオフするための電源とスイッチとを有することを特徴とするギフトボックスである。
【０００９】
本発明に係るギフトボックスは、簡単なスイッチ操作によって窓部が透明になったり不透明になったりするので、箱を開かなくても内容物を認識することができる。
【００１０】
また、請求項２に記載の発明は、前記窓部に、電界オフ時に不透明となり、電界オン時に透明となるノーマルモードの調光フィルムが用いられていることを特徴とする請求項１
に記載のギフトボックスである。
【００１１】
また、請求項３に記載の発明は、前記窓部に、電界オフ時に透明となり、電界オン時に不透明となるリバースモードの調光フィルムが用いられていることを特徴とする請求項１に記載のギフトボックスである。
【００１２】
また、請求項４に記載の発明は、ケース部のすべての面が電界のオンオフによって透明と不透明とが切り替わる窓部であることを特徴とする請求項１〜３のいずれか１項に記載のギフトボックスである。
【００１３】
また、請求項５に記載の発明は、ケース部が、四角柱形状であることを特徴とする請求項１〜４のいずれか１項に記載のギフトボックスである。
【００１４】
また、請求項６に記載の発明は、ケース部が、円柱形状であることを特徴とする請求項１〜４のいずれか１項に記載のギフトボックスである。
【発明の効果】
【００１５】
本発明に係るギフトボックスは、ケース部に、電界のオンオフによって透明と不透明とが切り替わる窓部を有し、駆動部に、窓部の電界をオンオフするための電源とスイッチとを有するので、簡単なスイッチ操作によって透明と不透明を切り替えることができる。このため、例えば贈り物を相手に手渡す時に、スイッチを入れることにより、瞬時に内容物を目視可能にすることなどができ、サプライズ効果を演出することが容易に可能である。
【００１６】
請求項２に記載の発明のように、窓部に、電界オフ時に不透明となり、電界オン時に透明となるノーマルモードの調光フィルムが用いられている場合には、通常の電源オフ時には、窓部が不透明であり、必要な時だけ透明にすることができる。
【００１７】
逆に請求項３に記載の発明のように、窓部に、電界オフ時に透明となり、電界オン時に不透明となるリバースモードの調光フィルムが用いられている場合には、通常の電源オフ時には窓部が透明であり、必要な時だけ不透明にすることができる。
【００１８】
請求項４に記載の発明のように、ケース部のすべての面が電界のオンオフによって透明と不透明とが切り替わる窓部である場合には、サプライズ効果が大きくなり、ギフトボックスとしての価値も高まる。
【図面の簡単な説明】
【００１９】
【図１】図１は、本発明に係るギフトボックスの一実施態様を示した斜視模式図であり、窓部が不透明で、内容物を目視することが出来ない状態を示したものである。
【図２】図２は、図１の状態から、スイッチを操作して、窓部が透明になり、内容物を目視することが可能となった状態を示したものである。
【図３】図３は、図１、２に示したギフトボックスのケース部の展開図である。
【図４】図４は、ノーマルモードの調光フィルムが電界の印加によって不透明な状態から透明な状態に変化する様子を示した模式図であり、（ａ）は不透明な状態を、（ｂ）は透明な状態をそれぞれ示す。
【図５】図５は、リバースモードの調光フィルムが電界の印加によって透明な状態から不透明な状態に変化する様子を示した模式図であり、（ａ）は透明な状態を、（ｂ）は不透明な状態をそれぞれ示す。
【発明を実施するための形態】
【００２０】
以下、図面を参照しながら、本発明に係るギフトボックスについて詳細に説明する。図１は、本発明に係るギフトボックス１の一実施態様を示した斜視模式図であり、窓部４が不透明で、内容物２０を目視することが出来ない状態を示したものである。図２は、図１の状態から、スイッチ１２を操作して、窓部４が透明になり、内容物を目視することが可能となった状態を示したものである。
【００２１】
図１、２に示した例では、駆動部２の上に四角柱状のケース部３が載置された構造であり、ケース部３を構成する４つの面はすべて電界のオンオフによって透明と不透明とが切り替わる窓部４となっている。窓部４は、このようにケース部３の全面に亘って設けられる必要はなく、例えば１面だけでも良い。
【００２２】
図３は、図１、２に示したギフトボックスのケース部３の展開図である。この例では、一つながりの調光フィルムが貼られた透明シートを折罫線に沿って折畳んだ構造をしており、調光フィルムに電圧を印加するための端子５が設けられている。
【００２３】
駆動部２には、特に図示しないが、この端子５に電源を接続するための接続端子が設けられており、この接続端子に所定の電圧の電源を供給する電源回路と電池が搭載されている。またスイッチ１２が設けられていて、スイッチ１２の操作により窓部４の透明、不透明を切り替えられるようになっている。
【００２４】
図４は、ノーマルモードの調光フィルム１０が電界の印加によって不透明な状態から透明な状態に変化する様子を示した模式図であり、（ａ）は不透明な状態を、（ｂ）は透明な状態をそれぞれ示している。
【００２５】
調光フィルムは、透明電極１３を形成したベースフィルム１４を対向させて、間に液晶を封入した構造をしており、ノーマルモードの調光フィルムは、電界が印加されていない（ａ）の状態では、液晶分子がランダムに配列しているため、フィルムに入射した入射光１６はフィルムを通過する際に散乱される。このため調光フィルムは不透明な状態となる。
【００２６】
この状態から、電界を印加すると、（ｂ）のように液晶分子が一定の方向に整列する結果、入射光１６は、散乱されることなく透過光１７としてフィルムを透過する。このため調光フィルムは透明となる。
【００２７】
図５は、リバースモードの調光フィルムが電界の印加によって透明な状態から不透明な状態に変化する様子を示した模式図であり、（ａ）は透明な状態を、（ｂ）は不透明な状態をそれぞれ示している。
【００２８】
リバースモードの調光フィルムは、ノーマルモードの調光フィルムとは逆の動作をするものであり、電界が印加されない状態では透明であり、電界が印加されると不透明になる。
【００２９】
本発明に係るギフトボックスに、どちらのタイプの調光フィルムを使用するかは、目的とする用途に応じて選択することができる。電源に使用する電池の寿命を考慮すると、透明、不透明のどちらの状態が長いかによって選択すべきである。
【００３０】
例えば宝飾品のケースのように、通常は、内容物が見えない不透明な状態で置かれる時間が長くて、透明にするのは、極く短い時間だけであれば、ノーマルモードの調光フィルムを用いるべきであり、逆に人形ケースのように、内容物が見える透明な状態で置かれる時間が長いのであれば、リバースモードの調光フィルムを用いるべきである。
【００３１】
本発明に係るギフトボックスは、スイッチのオンオフという極めて簡単な操作によって内容物の可視、不可視を切り替えることができるので、例えば、中が見えない状態で贈り物を手渡し、その場で瞬時に見えるようにすることで、サプライズ効果を最大限に演出することが簡単に可能である。
【００３２】
リバースモードの調光フィルムを用いたギフトボックスの場合には、贈り物を手渡す前にスイッチを入れて不透明な状態にしておき、手渡してからスイッチを切って透明な状態に戻すことにより、同様のサプライズ効果を演出することができる。
【００３３】
なお本発明に係るギフトボックスは、その形状が限定されるものではなく、例えば円柱形状でも楕円柱形状でもよい。あるいは六角形状や八角形状さらには、正１２面体や正２０面体等、形状は任意である。
【符号の説明】
【００３４】
１・・・ギフトボックス
２・・・駆動部
３・・・ケース部
４・・・窓部
５・・・端子
１０・・・調光フィルム
１１・・・電源
１２・・・スイッチ
１３・・・透明電極
１４・・・ベースフィルム
１５・・・液晶
１６・・・入射光
１７・・・透過光
２０・・・内容物
【図１】
2018150060.tif 000003
【図２】
2018150060.tif 000004
【図３】
2018150060.tif 000005
【図４】
2018150060.tif 000006
【図５】
2018150060.tif 000007